(57)【特許請求の範囲】
【請求項１】
本体天板の両端部に梯子状脚体を下広がり状に設けて本体天板と両脚体とが略台形状を成している可搬式作業台における本体天板の妻側端部に張り出すように取り付けられる張出足場であって、本体天板の妻側端部に基端側妻部が接続される張出天板と、この張出天板の先端側妻部に上端部が枢着され、下端部が脚体の踏杆に係止され、且つ、張出天板６の下面に沿うように折り畳み可能である支持枠とからなり、該支持枠が張出天板の下面に沿うように折り畳まれた時に支持枠の下端部を張出天板の基端側妻部に固定して支持枠を折り畳み位置にロックするロック手段を設けてなり、前記張出天板には先端側妻部の両端に支柱部材取付金具を設け、この支柱部材取付金具に手摺り棒等の支柱部材を取り付けるようにしてなる可搬式作業台の張出足場。
【請求項２】
前記張出天板の基端側妻部を本体天板の妻側端部に接続する接続手段は、張出天板の基端側妻部に下向きに突設されていて、本体天板の妻側端部上面に設けられた掛止孔に上方より掛止される掛止ピンと、張出天板の基端側妻部にバネで水平方向に突出付勢されていて、本体天板の妻側端部の妻面に設けられたピン孔に突入される固定ピンとからなる請求項１に記載の可搬式作業台の張出足場。
【請求項３】
前記支持枠の下端部を脚体の踏杆に係止する係止手段は、支持枠の下端部に枢着されていて、脚体の踏杆に上方より嵌合される嵌合枠と、踏杆に嵌合された嵌合枠の踏杆からの抜け出しを阻止するようにバネで突出付勢されている抜け止めピンとからなる請求項１又は２に記載の可搬式作業台の張出足場。
【請求項４】
前記ロック手段は、支持枠の下端部に枢着されていて、脚体の踏杆に上方より嵌合される嵌合枠と、嵌合枠の所要部に設けられたピン孔と、張出天板の基端側妻部にバネで水平方向に突出付勢されていて、支持枠の折り畳み位置で反転した状態の嵌合枠の前記ピン孔に突入される固定ピンとからなる請求項１〜３の何れかに記載の可搬式作業台の張出足場。
【発明の詳細な説明】
【技術分野】
【０００１】
本発明は、建設現場などにおいて天井の内装仕上げや天井内の配線作業、配管作業などの高所作業を行う時に使用される可搬式作業台の張出足場に関する。尚、可搬式作業台とは、床面に固定されず、持ち運びが可能で、キャスターなどによって移動が容易な作業台を言うもとする。
【背景技術】
【０００２】
可搬式作業台は、作業床を形成する本体天板の両端部に梯子状脚体を下広がり状に設けたもので、本体天板と両脚体とが略台形状を成しているため、本体天板の妻側端部を建物の壁面に近づけて作業を行う場合に、本体天板の妻側端部と壁面との間に空間ができて、壁際での作業性が悪い。そこで、張出足場は、本体天板と壁面との間の空間を埋めるために、本体天板の妻側端部に張り出すように取り付けて使用されるものである。
【発明の概要】
【発明が解決しようとする課題】
【０００３】
可搬式作業台には、梯子状脚体での作業者の昇り降りを安全に行えるように天板の両端部の両側に手掛かり棒が設けられており、しかして手掛かり棒間に感知材（感知バー）を架け渡すことによって、作業者は、その感知材に触れた時にその触れた位置が天板の端部であることを感知して、本体天板からの転落を未然に防止することができる。ところが、従来の張出足場では、張出天板に本体天板のような手掛かり棒が設けられていないため、感知材を架け渡すことができず、作業者が張出天板から転落する危険性があった。
【０００４】
本発明は、上記の事情に鑑み、張出天板からの作業者の転落を未然に防止するために、感知バーを取り付けできるようにした張出足場を提供することを目的とする。
【課題を解決するための手段】
【０００５】
上記課題を解決するための手段を、後述する実施形態の参照符号を付して説明すると、請求項１に係る発明の可搬式作業台１の張出足場２は、図１，図２，図１１及び図１２に示すように、本体天板４の両端部に梯子状脚体５，５を下広がり状に設けて本体天板４と両脚体５，５とが略台形状を成している可搬式作業台における本体天板４の妻側端部に張り出すように取り付けられる張出足場２であって、本体天板４の妻側端部に基端側妻部が接続される張出天板６と、この張出天板６の先端側妻部に上端部が枢着され、下端部が脚体５の踏杆５ｂに係止され、且つ、張出天板６の下面に沿うように折り畳み可能である支持枠７とからなり、該支持枠７が張出天板６の下面に沿うように折り畳まれた時に支持枠７の下端部を張出天板６の基端側妻部に固定して支持枠７を折り畳み位置にロックするロック手段４５を設けてなり、前記張出天板６には先端側妻部の両端に支柱部材取付金具８，８を設け、両支柱部材取付金具８，８に手摺り棒等の支柱部材９，４６ａ，５４ａを取り付けるようにしてなることを特徴とする。
【０００６】
請求項２は、請求項１に記載の可搬式作業台１の張出足場２において、前記張出天板６の基端側妻部を本体天板４の妻側端部に接続する接続手段１６は、図３に示すように、張出天板６の基端側妻部に下向きに突設されていて、本体天板４の妻側端部上面に設けられた掛止孔２５に上方より掛止される掛止ピン２６と、張出天板６の基端側妻部にバネ３０で水平方向に突出付勢されていて、本体天板４の妻側端部の妻面に設けられたピン孔２７に突入される固定ピン２８とからなることを特徴とする。
【０００７】
請求項３は、請求項１又は２に記載の可搬式作業台１の張出足場２において、前記支持枠７の下端部を脚体５の踏杆５ｂに係止する係止手段１７は、図３に示すように、支持枠７の下端部に枢着されていて、脚体５の踏杆５ｂに上方より嵌合される嵌合枠２４と、踏杆５ｂに嵌合された嵌合枠２４の踏杆５ｂからの抜け出しを阻止するようにバネ３１で突出付勢されている抜け止めピン３３とからなることを特徴とする。
【０００９】
請求項４は、請求項１〜３の何れかに記載の可搬式作業台の張出足場において、前記ロック４５手段は、図７に示すように、支持枠７の下端部に枢着されていて、脚体５の踏杆５ｂに上方より嵌合される嵌合枠２４と、嵌合枠２４の所要部に設けられたピン孔３４と、張出天板６の基端側妻部にバネ３０で水平方向に突出付勢されていて、支持枠７の折り畳み位置で反転した状態の嵌合枠２４の前記ピン孔３４に突入される固定ピン２８とからなることを特徴とする。
【発明の効果】
【００１０】
上記解決手段による発明の効果を、後述する実施形態の参照符号を付して説明すると、請求項１に係る発明によれば、張出天板６の先端側妻部両端に支柱部材取付金具８を設け、この取付金具８に手摺り棒等の支柱部材９，４６ａ，５４ａを取り付けできるようにしたから、図１，図２に示すように張出天板６の先端側妻部では両支柱部材取付金具８，８に手摺り棒９，９を取り付けることにより、両手摺り棒９，９間に妻側端部感知材１３を架け渡すことができ、また一方の支柱部材取付金具８に取り付けた手摺り棒９と、本体天板４側に設けられた手掛かり棒１０との間に桁側端部感知材１４を架け渡すことができ、また図１１に示すように、各支柱部材取付金具８に手摺り支柱４６ａを取り付けて、張出天板６の桁側端部に手摺り枠４６を設置することにより、両手摺り枠４６，４６の手摺り支柱４６ａ，４６ａ間に妻側端部感知材１３を架け渡すことができ、また図１２に示すように両支柱部材取付金具８，８に手摺り枠５４の手摺り支柱５４ａ，５４ａを取り付けることにより、この手摺り枠５４の各手摺り支柱５４ａと本体天板１側の手掛かり棒１０との間に桁側端部感知材１４を架け渡すことができる。従って、そのようにすることにより張出天板６からの転落を未然に防止することができる。
【００１１】
また、張出天板６の先端側妻部に妻側端部感知材１３を設置する場合は、妻側端部感知材１３の一端部を、一方の支柱部材取付金具８に取り付けた手摺り棒９に連結し、他端部は、本体天板４に設けられた手掛かり棒１０に連結してもよいし、延長天板３の桁側端部に設置された手摺り枠４６を利用してその手摺り枠４６の縦桟に連結することができる。また、張出天板６の桁側端部に桁側端部感知材１４を設置する場合は、感知材１４の一端部を、両支柱部材取付金具８，８の一方に取り付けた手摺り棒９に連結し、その他端部は、本体天板４の手掛かり棒１０に連結し、あるいは延長天板３の桁側端部に設置された手摺り枠４６の縦桟に連結することができる。
又、本発明によれば、張出足場２の支持枠７は、張出足場２の支持枠７が折り畳まれた時にロック手段４５によって折り畳み位置にロックすることができるから、張出足場２の梱包がし易く、搬送や保管に便利となり、また輸送時の荷崩れを防止することができる。
【００１２】
請求項２に係る発明によれば、接続手段１６は、張出天板６の基端側妻部に下向きに突設されていて、本体天板４の妻側端部上面に設けられた掛止孔２５に上方より掛止される２６ピンと、張出天板６の基端側妻部にバネ３０で水平方向に突出付勢されていて、本体天板４の妻側端部の妻面に設けられたピン孔２７に突入される固定ピン２８とからなるもので、固定ピン２８の先端部をバネ３０の付勢力に抗して引っ込めた状態で、掛止ピン２６を本体天板４側の掛止孔２５に掛止した後、固定ピン２８の先端部を本体天板４側のピン孔２７に突入させることにより、張出天板６の基端側妻部を本体天板４の妻側端部に簡単容易に接続することができる。
【００１３】
請求項３に係る発明によれば、係止手段１７は、支持枠７の下端部に枢着されていて、脚体５の踏杆５ｂに嵌合される嵌合枠２４と、踏杆５ｂに嵌合された嵌合枠２４の踏杆５ｂからの抜け出しを阻止するようにバネ３１で突出付勢されている抜け止めピン３３とからなるもので、抜け止めピン３３をバネ３１の付勢力に抗して嵌合枠２４のピン孔３２から引き抜いた状態から嵌合枠２４を踏杆５ｂに嵌合し、抜け止めピン３３を嵌合枠２４のピン孔３２に挿通することにより、支持枠７の下端部を踏杆５ｂに簡単容易に係止固定することができる。
【００１５】
請求項４に係る発明によれば、ロック４５手段によって支持枠７を折り畳み位置にロックするには、支持枠７の折り畳み位置で嵌合枠２４を反転させた状態で、この嵌合枠２４のピン孔３４に固定ピン２８を突入させればよいから、支持枠７のロック操作を簡単容易に行うことができる。
【図面の簡単な説明】
【００１６】
【図１】(a) は可搬式作業台とこれに取り付けた本発明に係る張出足場を示す平面図、(b) は(a) の矢印Ａから見た正面図である。
【図２】図１の(a) の矢印Ｂから見た側面図である。
【図３】図１の(b) の矢印Ｃで示す部分の拡大図で、手掛かり棒及び手摺り棒を取り外した状態で示す。
【図４】(a) は本発明に係る張出足場の正面図であり、(b) は平面図、(c) は左側面図、(d) は右側面図である。
【図５】(a) は同張出足場の裏面図で、接続手段の固定ピンをロック状態で示しており、(b) は同じく裏面図で、固定ピンをロック解除状態で示し、(c) は手摺り棒を示す正面図、(d) は同手摺り棒の側面図である。
【図６】(a-1) は手摺り棒と支柱部材取付金具を取付前の状態で示す正面図であり、(a-2) は側面図であり、(b-1) は手摺り棒を支柱部材取付金具に取付けた状態の正面図、(b-2) は側面図であり、(c) は図１の(b) の矢印Ｄで示す部分の拡大図で、手摺り棒の上端部に感知材の端部を取付けた状態を示し、(d) は感知材の端部を手摺り棒の上端部に取り付ける前の状態を示し、(e) は同状態の平面図である。
【図７】張出足場の支持枠を張出天板に対し折り畳んだ状態を示す正面図である。
【図８】(a) は本体天板と延長天板と張出天板とに対する手摺り枠及び感知材の設置例を示す平面図、(b) は正面図、(c) は側面図である。
【図９】(a) は本体天板と張出天板とに対する手摺り枠及び感知材の設置例を示す平面図、(b) は正面図、(c) は側面図である。
【図１０】(a) は本体天板と張出天板とに対する感知材の設置例を示す平面図であり、(b) は正面図、(c) は側面図である。
【図１１】張出足場の支柱部材取付金具に手摺り枠の手摺り支柱を取り付ける場合を示すもので、(a) は正面図、(b) は側面図である。
【図１２】図１１と同じく張出足場の支柱部材取付金具に手摺り枠の手摺り支柱を取り付ける場合を示すもので、(a) は正面図、(b) は側面図である。
【図１３】(a) は図１１の(b) の矢印Ｅで示す部分の拡大図、(b) は(a) の左側面図である。
【図１４】(a) は図１２の(a) の矢印Ｆで示す部分の拡大図、(b) は(a) の右側面図である。
【発明を実施するための形態】
【００１７】
以下に本発明の好適な一実施形態を図面に基づいて説明すると、図１の(a) ，(b) において、１は可搬式作業台、２は張出足場、３は延長天板である。可搬式作業台１は、本体天板４の両端部に、梯子状脚体５，５を、回転金具Ｒ，Ｒによって、図１の(b) に示すように下広がり状に傾斜して本体天板４と両脚体５，５とが略台形状を成すように開脚する開脚姿勢と、図示は省略するが、本体天板４の下面に沿うように折り畳まれて閉脚する閉脚姿勢とに開閉可能に設けたもので、本体天板４の一方の妻側端部に張り出すように張出足場２が作業台１に設置されている。図１の(a) に示すように、２つの可搬式作業台１，１がその桁側端部を対向させた一定の間隔で配置されていて、両作業台１，１に夫々取り付けられた張出足場２，２の対向する桁側端部間に延長天板３が架け渡されている。作業台１の各梯子状脚体５は、図２から分かるように、下広がり状に配設された両側一対の脚柱５ａ，５ａと、両脚柱５ａ，５ａ間に複数段に横架された踏杆５ｂとによって構成される。尚、脚体５と本体天板４との間には途中で屈曲可能なステイＳが介装されている。
【００１８】
張出足場２は、図１の(a) ，(b) に示すように、本体天板４の妻側端部に基端側妻部が接続手段１６を介して接続される張出天板６と、この張出天板６の先端側妻部に上端部が枢着されていて、張出天板６の下面に沿うように折り畳み可能で、下端部が脚体２の踏杆２ｂに係止手段１７を介して係止される支持枠７とからなるもので、張出天板６には先端側妻部の両端に支柱部材取付金具８が設けられ、各支柱部材取付金具８に支柱部材としての角管状の手摺り棒９が取り付けられている。
【００１９】
また本体天板４の四隅部には、脚体５と本体天板４との昇降口の両側に位置するように手掛かり棒１０が設けられ、各手掛かり棒１０は、その下端部が、脚体５の外側面側上端部に装着された取付金具１１により回転可能に枢着されて、図１の(b) に実線で示すような起立姿勢と、図示は省略するが、脚体５の脚柱５ａに沿って折り畳まれる折畳姿勢とに姿勢変更可能となっている。
【００２０】
しかして、本体天板４の長手方向に対向する両手掛かり棒１０，１０の上端部間には、図１の(a) ，(b) に示すように、本体天板４の桁側端部であることを知らせるための桁側端部感知材１２が掛け渡され、張出足場２においては、図１の(a) 及び図２に示すように、張出天板６の先端側妻部で対向する手摺り棒９，９間に、張出天板６の妻側端部であるあることを知らせるための妻側端部感知材１３が、また各手摺り棒９と、張出天板６の桁側端部に沿って対向する本体天板４側の手摺り棒１０との間には、張出天板６の桁側端部であるあることを知らせるための桁側端部感知材１４が、夫々架け渡されており、また延長天板３の桁側端部に沿って対向する両張出天板６，６上の手摺り棒９，９間には、延長天板３上の桁側端部であるあることを知らせるための桁側端部感知材１５が架け渡されている。
【００２１】
上記張出足場２の構造について更に説明すると、張出天板６の先端側妻部の両端に取り付けられる各支柱部材取付金具８は、図６の(a-1) ，(a-2) 及び(b-1) ，(b-2) に示すように、支柱部材としての角管状手摺り棒９の下端部が嵌合する角筒状の金具本体８ａと、この金具本体８ａの一側部に一体に連設された取付部片８ｂとからなるもので、角筒状金具本体８ａには一側壁上端部にボルト嵌合用切欠溝部８ｃが設けられ、他側壁上端部にはその切欠溝部８ｃと対向する位置にボルト挿通孔８ｄが設けられており、取付部片８ｂは、リベット結合により又はビス止めによって張出天板６の先端側妻部両端に夫々取り付けられる。
【００２２】
そして、張出天板６に設けられた支柱部材取付金具８に手摺り棒９を取り付けるには、図６の(a-1) ，(a-2) に示すように、手摺り棒９の下端所要部に蝶ボルト１８を直径方向に螺着しておいて、図６の(b-1) ，(b-2) に示すように、手摺り棒９の下端部を支柱部材取付金具８の角筒状金具本体８ａに嵌合して、蝶ボルト１８の首部分を金具本体８ａ上端部のボルト嵌合用切欠溝部８ｃに嵌合し、蝶ボルト１８を締め回して、その先端部をボルト挿通孔８ｄに挿通させ、更に蝶ボルト１８を締め込むことにより、手摺り棒９の下端部を金具本体８ａに固定することができる。尚、手摺り棒９の下端部に蝶ボルト１８を螺着するには、手摺り棒９内の下端所要部にナット１９を埋設固定しておいて、このナット１９に蝶ボルト１８を螺合すればよい。
【００２３】
張出足場２の支持枠７は、図３及び図４の(a) ，(c) ，(d) に示すように、両側一対の縦材２０，２０と、両縦材２０，２０の中間部どうしを一体的に連結する横連結材２１とによって略Ｈ字形に形成されたもので、両縦材２０，２０の基端部がヒンジ２２，２２によって夫々張出天板６の先端側妻部に水平軸回りに回動可能に枢着されている。
【００２４】
張出天板６の基端側妻部を本体天板４の妻側端部に接続する接続手段１６は、図３及び図５の(a) ，(b) に示すように、張出天板６の基端側妻部に下向きに突設されていて、本体天板４の妻側端部上面に設けられた掛止孔２５に上方より掛止される掛止ピン２６と、張出天板６の基端側妻部にコイルバネ３０（図３参照）で水平方向に突出付勢されていて、本体天板４の妻側端部の妻面に設けられたピン孔２７（図３参照）に突入される固定ピン２８とから構成される。尚、張出天板６の基端側妻部には、図３に示すように、断面略Ｌ字形の端板２９が取り付けてあって、この端板２９の水平板部２９ａの先端部下面に掛止ピン２６が垂下突設され、また固定ピン２８は、張出天板６の内方から端板２９の垂直板部２９ｂを水平に貫通して、常時バネ（図示省略）で突出付勢されており、また水平板部２９ａと垂直板部２９ｂとの間には補強用斜板２９ｃが介装されている。
【００２５】
従って、張出天板６の基端側妻部を本体天板４の妻側端部に接続する時は、固定ピン２８の把手２８ｏをバネ３０の付勢力に抗して引っ張り、図５の(b) に示すように固定ピン２８の先端部を引っ込めた状態で、掛止ピン２６を本体天板４側の掛止孔２５に上方より掛止した後、固定ピン２８の把手２８ｏから手を離して、固定ピン２８の先端部を本体天板４側のピン孔２７に突入させることにより、張出天板６の基端側妻部を本体天板４の妻側端部に一体的に接続することができる。
【００２６】
前記張出足場２の支持枠７の下端部（他端部）を脚体５の踏杆５ｂに係止する係止手段１７は、図３及び図４の(a) ，(c) ，(d) に示すように、支持枠７の両縦材２０，２０下端部にヒンジ２３によって水平軸回りに回転可能に枢着されていて、脚体５の踏杆５ｂに上方より嵌合される断面略コ字形の嵌合枠２４と、踏杆５ｂに嵌合された嵌合枠２４の踏杆５ｂからの抜け出しを阻止するようにバネ３１によって嵌合枠２４に設けてあるピン孔３２（図３参照）から突出付勢される抜け止めピン３３とからなるもので、支持枠７の下端部を脚体５の踏杆５ｂに係止する時は、抜け止めピン３３を、図３の仮想線図示のようにバネ３１の付勢力に抗して引っ張って下枠材２２のピン孔３２から引き抜いた状態から、この嵌合枠２４を踏杆５ｂに上方より嵌合し、図３の実線図示のように抜け止めピン３３を下枠材２２のピン孔３２に挿通すればよく、支持枠７の下端部を踏杆５ｂに簡単容易に係止することができる。尚、嵌合枠２４は、図３及び図４の(a) ，(c) ，(d) に示すように、前後側壁２４ａ，２４ｂと底壁２４ｃとによって断面略コ字形を成しているが、前側壁２４ａには切欠開口部２４ｃが形成されている。
【００２７】
また張出足場２の支持枠７は、図７の実線図示のように張出天板６の下面に沿うように折り畳まれた折り畳み位置でロック手段４５によりロックされるようになっている。このロック手段４５は、支持枠７の下端部に枢着されて、脚体５の踏杆５ｂに上方より嵌合される嵌合枠２４と、この嵌合枠２４の所要部に設けられたピン孔３４と、張出天板６の基端側妻部にコイルバネ３０（図３参照）で水平方向に突出付勢されていて、支持枠７の折り畳み位置で反転した状態の嵌合枠２４の前記ピン孔３４に突入される固定ピン２８とからなるものである。尚、固定ピン２８は前記接続手段１６の一部を構成し、嵌合枠２４は前記係止手段１７の一部を構成するものである。
【００２８】
このロック手段４５の嵌合枠２４は、係止手段１７の一部を構成するもので、前記したように、支持枠７の両縦材２０，２０下端部で水平軸回りに回転可能であるから、張出足場２の支持枠７を折り畳む際に、図７の仮想線図示のように嵌合枠２４を下向き位置から反転させて上向き位置とし、この上向き状態の嵌合枠２４を、図７の実線図示のように、張出天板６の基端側妻部にある接続手段１６の断面略Ｌ字形端板２９に当接させた状態で固定ピン２８を、嵌合枠２４に設けてあるピン固定孔３４に係入させることにより、嵌合枠２４を張出天板６の基端側妻部に固定して、支持枠７を折り畳み位置に保持固定することができる。この時、固定ピン２８は、図７に示すように、嵌合枠２４の一方側の側壁２４ａに形成された切欠開口部２４ｃ（図４の(c) 参照）を通って他方側の側壁２４ｂに設けてあるピン固定孔３４に係入するようになっている。このロック手段４５による支持枠７のロック操作は、支持枠７の折り畳み位置で嵌合枠２４を反転させた状態で、嵌合枠２４のピン孔３４に固定ピン２８を突入させればよいから、簡単容易に行える。
【００２９】
上記のように構成される張出足場２によれば、張出天板６には先端側妻部の両端に支柱部材取付金具８，８を設け、両支柱部材取付金具８，８に支柱部材としての手摺り棒９を取り付けるようにしているから、図１及び図２に示すように、両支柱部材取付金具８，８に取り付けた手摺り棒９，９間に、張出天板６の妻側端部であるあることを知らせるための妻側端部感知材１３を架け渡し、また各手摺り棒９と、張出天板６の桁側端部に沿って対向する本体天板４側の手掛かり棒１０との間に、張出天板６の桁側端部であるあることを知らせるための桁側端部感知材１４を架け渡すことにより、作業者が張出天板６上での作業中に妻側端部感知材１３に触れた時は、その触れた位置が張出天板６の妻側端部であることを感知し、また桁側端部感知材１４に触れた時は、その触れた位置が張出天板６の桁側端部であることを感知して、張出天板６からの転落を未然に防止できる。
【００３０】
図６の(c) は図２の矢印Ｄで示す部分の拡大図で、手摺り棒９の上端部に感知材１４の下端部を取付けた状態を示し、(d) は感知材１４の端部を手摺り棒の上端部に取り付ける前の状態を示し、(e) は同状態の平面図である。これらの図面から分かるように、感知材１４の下端部にはその一側面側上部に、手摺り棒９の上端面に設けられた係止孔３５に係止するフック３６が取り付けられ、その他側面側下部には、感知材１４下端部を直径方向に貫通するロックピン３７がロック位置とロック解除位置とに切り換え可能に設けられている。
【００３１】
このロックピン３７は、手摺り棒９に取り付けられたブラケット３８に貫通支持されると共に、コイルバネ３９によって手摺り棒９を貫通するロック方向に付勢されるが、ロックピン２３の基端部に取り付けられたコ字枠状のツマミ４０を、図６の(d) に示すようにブラケット３８の突台部３８ａに係止させることによって、ロックピン３７をロック解除位置に保持し、このツマミ４０を同図の(c) に示すように９０°回転させて、ブラケット３８の突台部３８ａに跨嵌させることにより、ロックピン３７をロック位置に突出させるようにしたものである。従って、感知材１４の取付けにあたっては、同図の(d) に示すようなロック解除状態から、フック３６を手摺り棒９の上端面の係止孔３５に係止した後、ツマミ４０を９０°回転させ、ロックピン３７を、手摺り棒９の上端部に設けてあるピン孔４１に突入させてロック状態とすることにより、感知材１４の下端部を簡単容易に手摺り棒９の上端部に取り付けることができる。
【００３２】
図１及び図２において、感知材１４の端部を本体天板４上の手掛かり棒１０に取り付ける場合、感知材１５の端部を張出天板６上の手摺り棒９に取り付ける場合、感知材１２の端部を本体天板４上の手掛かり棒１０に取り付ける場合の何れも、上記した図６の(c) ，(d) ，(e) によって説明した方法で取り付けることができる。
【００３３】
図８は本体天板４と延長天板３と張出天板６とに対する手摺り枠４２及び感知材１３，１４の設置例を示したもので、(a) は平面図、(b) は正面図、(c) は側面図である。これは、２つの可搬式作業台１，１がその桁側端部を対向させた一定の間隔で配置され、両作業台１，１に夫々取り付けられた張出足場２，２の対向する桁側端部間に延長天板３が架け渡されていて、各本体天板４及び延長天板３の夫々の桁側端部に手摺り枠４２が設置されている場合に、この手摺り枠４２と、張出天板６の支柱部材取付金具８に取り付けた手摺り棒９との間に、張出天板６の妻側端部感知材１３及び桁側端部感知材１４を架け渡すようにしたものである。
【００３４】
この場合、手摺り枠４２は、図８の(b) ，(c) に示すように、手摺り支柱４２ａの下端部を本体天板４及び延長天板３に設けられた取付金具４３に取り付けることによって立設されるようになっていて、延長天板３上の手摺り枠４２の両端の縦桟４２ｂに張出天板６の妻側端部感知材１３の夫々一端部が図６の(c) 〜(e) で説明した方法で連結され、妻側端部感知材１３の他端部は、張出天板６の支柱部材取付金具８に取り付けた手摺り棒９に同様な方法で連結され、また張出天板６の桁側端部感知材１４の両端部は、図８の(c) に示すように、張出天板６側の手摺り棒９と本体天板４側の手掛かり棒１０とに夫々同様な方法で連結されている。
【００３５】
図９は本体天板４と張出天板６とに対する手摺り枠４２及び感知材１３，１４の設置例を示したもので、(a) は平面図、(b) は正面図、(c) は側面図である。これは、１つの可搬式作業台１の本体天板４の妻側端部に張出足場２が取り付けられていて、本体天板４の両桁側端部に夫々手摺り枠４２が設置されている場合に、この手摺り枠４２と、張出天板６の支柱部材取付金具８に取り付けた手摺り棒９との間に桁側端感知材１４を架け渡し、また張出天板６の手摺り棒９，９間に妻側端部感知材１３を架け渡すようにしたもので、感知材１３，１４の取付方法は図８の場合と同様である。
【００３６】
図１０は本体天板４と張出天板６とに対する本体天板側感知材４４及び張出天板側感知材１３，１４の設置例を示したもので、本体天板４の桁側端部に沿って対向するように設けてある手掛かり棒１０，１０間に感知材４４を掛け渡し、張出天板６の支柱部材取付金具８に取り付けた手摺り棒９と本体天板４側の手掛かり棒１０との間に桁側感知材１４を架け渡し、また張出天板６の手摺り棒９，９間に妻側端部感知材１３を架け渡すようにしたもので、感知材１３の端部の手摺り棒９に対する連結方法、及び感知材１４の端部の手掛かり棒１０に対する連結方法は図８の場合と同様である。
【００３７】
以上説明したように、張出天板６の先端側妻部両端に支柱部材取付金具８を設け、この取付金具８に支柱部材としての手摺り棒９を取り付けできるようにしたことによって、張出天板６の先端側妻部では両支柱部材取付金具８，８に手摺り棒９，９を取り付ければ、両手摺り棒９，９間に妻側端部感知材１３を架け渡すことができ、また一方の支柱部材取付金具８に取り付けた手摺り棒９と、本体天板４側に設けられた手掛かり棒１０との間に桁側端部感知材１４を架け渡すことができ、それによって張出天板６からの転落を未然に防止することができる。
【００３８】
また、張出天板６の先端側妻部に妻側端部感知材１３を設置する場合は、感知材１３の両端部を、両支柱部材取付金具８，８に取り付けた手摺り棒９，９に架け渡すようにする他に、感知材１３の一端部を一方の支柱部材取付金具８に連結し、その他端部は、本体天板４に設けられた手掛かり棒１０に連結したり、あるいは延長天板３の桁側端部に設置された手摺り枠４２を利用して、その手摺り枠４２の縦桟に連結することができる。
【００３９】
また、張出天板６の桁側端部に桁側端部感知材１４を設置する場合は、感知材１４の一端部を、両支柱部材取付金具８，８の一方に取り付けた手摺り棒９に連結し、その他端部は、本体天板４の手掛かり棒１０に連結したり、延長天板３の桁側端部に設置された手摺り枠４２の縦桟に連結することができる。
【００４０】
図１１は図１に示されるものと同様な可搬式作業台１に設置した張出足場２の支柱部材取付金具８に手摺り枠４６の手摺り支柱４６ａを取り付ける場合を示すもので、(a) は正面図、(b) は側面図である。この手摺り枠４６は、手摺り支柱４６ａ（支柱部材）の上端部から上枠４６ｂを水平に延出し、その先端部から縦枠４６ｃを垂下し、この縦枠４６ｃの下端部と手摺り支柱４６ａの中間部とに下枠４６ｄを介設して、(a) に示すような正面視略Ｐの字状に形成されたもので、支柱部材としての手摺り支柱４６ａの下端部を張出天板６の支柱部材取付金具８に嵌合して取り付け、そして縦枠４６ｃを、本体天板４に設けられた手掛かり棒１０の上端部に連結することにより、張出天板６の両桁側端部に沿って手摺り枠４６，４６を設置する。縦枠４６ｃを手掛かり棒１０の上端部に連結する方法は図６の(c) 〜(e) によって説明した方法と同様である。
【００４１】
こうして張出天板６の両桁側端部に設置した手摺り枠４６の手摺り支柱４６ａ，４６ａ間に張出天板６の妻側端部であるあることを知らせるための妻側端部感知材１３を架け渡す。この妻側端部感知材１３の端部を手摺り枠４６の手摺り支柱４６ａに連結した状態を図１３の(a) ，(b) に示す。即ち、感知材１３の下端部にはその外側面部に、手摺り支柱４６ａの所定箇所に設けられた係止用長孔４８に係止するフック４７が取り付けてあり、このフック４７の下側に、感知材１３の下端部を直径方向に貫通するロックピン４９が、手摺り支柱４６ａのピン孔５０に突入するロック位置と、このピン孔５０から抜け出すロック解除位置とに切り換え可能に設けられている。
【００４２】
このロックピン４９は、図１３の(a) に示すように、感知材１３の下端部に取り付けられたブラケット５１に貫通支持されると共に、コイルバネ５２によって手摺り支柱４６ａのピン孔５０に突入するロック方向に付勢されるが、ロックピン４９の基端部に取り付けられたコ字枠状のツマミ５３を、図６の(c) ，(d) に示される場合と同様にブラケット５１の突台部５１ａに係止させることによってロックピン４９をロック解除位置に保持し、このツマミ５３を９０°回転させて、ブラケット５１の突台部５１ａに跨嵌させることにより、ロックピン４９をロック位置に突出させるようにしたものである。従って、感知材１３の取付けにあたっては、ロック解除状態から、フック４７を手摺り支柱４６ａの係止用長孔４８に係止した後、ツマミ５３を９０°回転させ、ロックピン４９を、手摺り支柱４９のピン孔５０に突入させてロック状態とすることにより、感知材１３の下端部を簡単容易に手摺り枠４６の手摺り支柱４６ａに取り付けることができる。
【００４３】
上記のように張出天板６の各支柱部材取付金具８に手摺り枠４６の手摺り支柱４６ａを取り付けて、張出天板６の桁側端部に手摺り枠４６を設置すると共に、両手摺り枠４６，４６の手摺り支柱４６ａ，４６ａ間に妻側端部感知材１３を架け渡すことによって、張出天板６からの転落を未然に防止することができる。
【００４４】
図１２も張出足場２の支柱部材取付金具８に手摺り枠５４の手摺り支柱５４ａを取り付ける場合を示すもので、(a) は正面図、(b) は側面図である。この手摺り枠５４は、両側一対の手摺り支柱５４ａ，５４ａと上枠５４ｂと中桟５４ｃとからなるもので、夫々支柱部材としての両手摺り支柱５４ａ，支柱５４ａの下端部を張出天板６の支柱部材取付金具８，８に嵌合して取り付けることにより、張出天板６の先端側妻部に沿って手摺り枠５４を設置する。こうして張出天板６の先端側妻部に沿って設置した手摺り枠５４の各手摺り支柱５４ａと本体天板１の手掛かり棒５との間に、張出天板６の桁側端部であることを知らせるための桁側端部感知材１４を設置する。
【００４５】
この桁側端部感知材１４の一端部を本体天板１の手掛かり棒５に連結する手段は、図６の(c) 〜(e) によって説明したものと同様であり、また桁側端部感知材１４の他端部を手摺り枠５４の手摺り支柱５４ａに連結する手段は、図１４の(a) ，(b) に示しているが、図１３の(a) ，(b) によって説明したものと同じであるため、図１４の(a) ，(b) には同一符号を付して、その説明を省略する。
【００４６】
上記のように張出天板６の両支柱部材取付金具８，８に手摺り枠５４の手摺り支柱５４ａ，５４ａを取り付けることにより、この手摺り枠５４の各手摺り支柱５４ａと本体天板１側の手掛かり棒１０との間に桁側端部感知材１４を架け渡すことができ、これによって張出天板６からの転落を未然に防止することができる。
【符号の説明】
【００４７】
１            可搬式作業台
２            張出足場
３            延長天板
４            本体天板
５            梯子状脚体
６            張出天板
７            支持枠
８            支柱部材取付金具
９            手摺り棒（支柱部材）
１０          手掛かり棒
１６          接続手段
１７          係止手段
４６          手摺り枠
４６ａ        手摺り支柱（支柱部材）
５４          手摺り枠
５４ａ        手摺り支柱（支柱部材）
【図１】
0005627289.tif 000002
【図２】
0005627289.tif 000003
【図３】
0005627289.tif 000004
【図４】
0005627289.tif 000005
【図５】
0005627289.tif 000006
【図６】
0005627289.tif 000007
【図７】
0005627289.tif 000008
【図８】
0005627289.tif 000009
【図９】
0005627289.tif 000010
【図１０】
0005627289.tif 000011
【図１１】
0005627289.tif 000012
【図１２】
0005627289.tif 000013
【図１３】
0005627289.tif 000014
【図１４】
0005627289.tif 000015